(57)【要約】  酸化物基準のモル百分率表示で、ＳｉＯ２を５５〜８０％、Ｂ２Ｏ３を１２〜２７％、Ｒ２Ｏ（Ｒは、Ｌｉ、Ｎａ、およびＫからなる群より選択されるアルカリ金属。）を合計で４〜２０％、Ａｌ２Ｏ３を０〜３．５％、Ｒ´Ｏ（Ｒ´は、Ｍｇ、Ｃａ、Ｓｒ、およびＢａからなる群より選択されるアルカリ土類金属。）を合計で０〜５％、ＺｎＯを０〜５％、ＺｒＯ２を０〜１０％含有し、板厚０．５ｍｍにおける分光透過率で波長２５４ｎｍの透過率が７０％以上である紫外線透過ガラス。紫外線、特に深紫外光の透過率が高いガラスを提供する。
2016194780.tif 000002
【特許請求の範囲】
【請求項１】
酸化物基準のモル百分率表示で、
ＳｉＯ２を５５〜８０％、
Ｂ２Ｏ３を１２〜２７％、
Ｒ２Ｏ（Ｒは、Ｌｉ、Ｎａ、およびＫからなる群より選択される少なくとも１種のアルカリ金属を示す。）を合計で４〜２０％、
Ａｌ２Ｏ３を０〜３．５％、
Ｒ´Ｏ（Ｒ´は、Ｍｇ、Ｃａ、Ｓｒ、およびＢａからなる群より選択される少なくとも１種のアルカリ土類金属を示す。）を合計で０〜５％、
ＺｎＯを０〜５％、
ＺｒＯ２を０〜１０％含有し、
板厚０．５ｍｍにおける分光透過率において、波長２５４ｎｍの透過率が７０％以上であることを特徴とする紫外線透過ガラス。
【請求項２】
酸化物基準のモル百分率表示で、
ＳｉＯ２を５５〜８０％、
Ｂ２Ｏ３を１２〜２７％、
Ｒ２Ｏ（Ｒは、Ｌｉ、Ｎａ、およびＫからなる群より選択される少なくとも１種のアルカリ金属を示す。）を合計で４〜２０％、
Ａｌ２Ｏ３を０〜３．５％、
Ｒ´Ｏ（Ｒ´は、Ｍｇ、Ｃａ、Ｓｒ、およびＢａからなる群より選択される少なくとも１種のアルカリ土類金属を示す。）を合計で０〜５％、
ＺｎＯを０〜５％、
Ｔａ２Ｏ５を０〜５％含有し、
板厚０．５ｍｍにおける分光透過率において、波長２５４ｎｍの透過率が７０％以上であることを特徴とする紫外線透過ガラス。
【請求項３】
Ｔａ２Ｏ５を０．０１〜２％含有することを特徴とする、請求項１または２に記載の紫外線透過ガラス。
【請求項４】
Ａｌ２Ｏ３を実質的に含有しないことを特徴とする、請求項１ないし３のいずれか１項に記載の紫外線透過ガラス。
【請求項５】
Ｒ´Ｏ（Ｒ´は、Ｍｇ、Ｃａ、Ｓｒ、およびＢａからなる群より選択されるアルカリ土類金属を示す。）を実質的に含有しないことを特徴とする、請求項１ないし４のいずれか１項に記載の紫外線透過ガラス。
【請求項６】
Ｆｅ２Ｏ３  ０．００００５〜０．０１％および／またはＴｉＯ２  ０．０００１〜０．０２％をさらに含有することを特徴とする、請求項１ないし５のいずれか１項に記載の紫外線透過ガラス。
【請求項７】
Ｃｒ２Ｏ３、ＮｉＯ、ＣｕＯ、ＣｅＯ２、Ｖ２Ｏ５、ＷＯ３、ＭｏＯ３、ＭｎＯ２、ＣｏＯのいずれも実質的に含有しないことを特徴とする、請求項１ないし６のいずれか１項に記載の紫外線透過ガラス。
【請求項８】
Ｃｌを実質的に含有しないことを特徴とする、請求項１ないし７のいずれか１項に記載の紫外線透過ガラス。
【請求項９】
波長２５０〜１２００ｎｍの光の平均反射率において、表面の平均反射率が内部の平均反射率に比べて３％以上低いことを特徴とする、請求項１ないし８のいずれか１項に記載の紫外線透過ガラス。
【請求項１０】
表面のＳｉＯ２含有量が内部に比べて高く、かつ表面のＢ２Ｏ３含有量が内部に比べて低いことを特徴とする、請求項１ないし９のいずれか１項に記載の紫外線透過ガラス。
【請求項１１】
紫外線照射試験において、以下の式で求められる、波長２５４ｎｍの透過率の劣化度が１０％以下であることを特徴とする、請求項１ないし１０のいずれか１項に記載の紫外線透過ガラス。
劣化度（％）＝［（Ｔ0−Ｔ1）／Ｔ0］×１００
（式中、Ｔ0は、両面を光学研磨した肉厚０．５ｍｍのガラス基板の波長２５４ｎｍにおける初期透過率であり、Ｔ1は、前記のガラス基板に波長２５４ｎｍの紫外線を５ｍＷ／ｃｍ２の強度で１００時間照射した後の、波長２５４ｎｍにおける透過率である。) 
【請求項１２】
板厚０．５ｍｍにおける分光透過率において、波長３６５ｎｍの透過率が８０％以上であることを特徴とする、請求項１ないし１１のいずれか１項に記載の紫外線透過ガラス。
【請求項１３】
０〜３００℃の温度範囲の平均熱膨張係数が、３０×１０−７〜９０×１０−７／℃であることを特徴とする、請求項１ないし１２のいずれか１項に記載の紫外線透過ガラス。
【発明の詳細な説明】
【技術分野】
【０００１】
本発明は、紫外領域の波長の光の透過率が高い紫外線透過ガラスに関する。
【背景技術】
【０００２】
紫外線の発光光源として、低圧水銀ランプや高圧水銀ランプが従来から知られている。近年、小型で低コストの紫外線ＬＥＤ（紫外線発光ダイオード）が普及し、水殺菌装置、紫外線硬化型樹脂の硬化装置、紫外線センサー等の様々な用途の利用が増えている。【０００３】
このような紫外線光源を備える装置に用いられるガラスとして、従来、紫外線を効率よく透過させる石英ガラスがある。しかしながら、石英ガラスは、製造コストが高いという問題がある。
他方、石英ガラス以外の紫外線を効率よく透過させるガラスとして、リン酸塩ガラスやホウケイ酸ガラスが知られている（例えば、特許文献１，２参照。）。
しかしながら、これらのガラスは、波長４００ｎｍ以下の光、特に波長２００〜２８０ｎｍの光（以下、深紫外光ということがある。）の透過率が低く、改善が望まれていた。
【先行技術文献】
【特許文献】
【０００４】
【特許文献１】特開昭６２−０２７３４６号公報
【特許文献２】特開昭６０−０４６９４６号公報
【発明の概要】
【発明が解決しようとする課題】
【０００５】
本発明は、紫外線、特に深紫外光の透過率が高いガラスを提供することを目的とする。
【課題を解決するための手段】
【０００６】
本発明者は、鋭意検討を重ねた結果、ガラス組成を特定の範囲とすることで、深紫外光の透過率の高いガラスが得られることを見出した。【０００７】
すなわち、本発明の紫外線透過ガラスは、酸化物基準のモル百分率表示で、ＳｉＯ２を５５〜８０％、Ｂ２Ｏ３を１２〜２７％、Ｒ２Ｏ（Ｒは、Ｌｉ、Ｎａ、およびＫからなる群より選択される少なくとも１種のアルカリ金属を示す。）を合計で４〜２０％、Ａｌ２Ｏ３を０〜３．５％、Ｒ´Ｏ（Ｒ´は、Ｍｇ、Ｃａ、Ｓｒ、およびＢａからなる群より選択される少なくとも１種のアルカリ土類金属を示す。）を合計で０〜５％、ＺｎＯを０〜５％、ＺｒＯ２を０〜１０％含有し、板厚０．５ｍｍにおける分光透過率において、波長２５４ｎｍの透過率が７０％以上であることを特徴とする。【０００８】
また、本発明の紫外線透過ガラスは、酸化物基準のモル百分率表示で、ＳｉＯ２を５５〜８０％、Ｂ２Ｏ３を１２〜２７％、Ｒ２Ｏ（Ｒは、Ｌｉ、Ｎａ、およびＫからなる群より選択される少なくとも１種のアルカリ金属を示す。）を合計で４〜２０％、Ａｌ２Ｏ３を０〜３．５％、Ｒ´Ｏ（Ｒ´は、Ｍｇ、Ｃａ、Ｓｒ、およびＢａからなる群より選択される少なくとも１種のアルカリ土類金属を示す。）を合計で０〜５％、ＺｎＯを０〜５％、Ｔａ２Ｏ５を０〜５％含有し、板厚０．５ｍｍにおける分光透過率において、波長２５４ｎｍの透過率が７０％以上であることを特徴とする。【０００９】
本発明の紫外線透過ガラスは、Ｔａ２Ｏ５を０．０１〜２％含有することが好ましい。【００１０】
また、本発明の紫外線透過ガラスは、Ａｌ２Ｏ３を実質的に含有しないことが好ましい。【００１１】
また、本発明の紫外線透過ガラスは、Ｒ´Ｏ（Ｒ´は、Ｍｇ、Ｃａ、Ｓｒ、およびＢａからなる群より選択されるアルカリ土類金属を示す。）を実質的に含有しないことが好ましい。【００１２】
また、本発明の紫外線透過ガラスは、Ｆｅ２Ｏ３  ０．００００５〜０．０１％および／またはＴｉＯ２  ０．０００１〜０．０２％をさらに含有してもよい。【００１３】
また、本発明の紫外線透過ガラスは、Ｃｒ２Ｏ３、ＮｉＯ、ＣｕＯ、ＣｅＯ２、Ｖ２Ｏ５、ＷＯ３、ＭｏＯ３、ＭｎＯ２、ＣｏＯのいずれも実質的に含有しないことが好ましい。【００１４】
また、本発明の紫外線透過ガラスは、Ｃｌを実質的に含有しないことが好ましい。【００１５】
また、本発明の紫外線透過ガラスは、波長２５０〜１２００ｎｍの光の平均反射率において、表面の平均反射率が内部の平均反射率に比べて３％以上低いことが好ましい。【００１６】
また、本発明の紫外線透過ガラスは、表面のＳｉＯ２含有量が内部に比べて高く、かつ表面のＢ２Ｏ３含有量が内部に比べて低いことが好ましい。【００１７】
また、本発明の紫外線透過ガラスは、紫外線照射試験において、以下の式で求められる波長２５４ｎｍの透過率の劣化度が１０％以下であることが好ましい。
劣化度（％）＝［（Ｔ0−Ｔ1）／Ｔ0］×１００
（式中、Ｔ0は、両面を光学研磨した肉厚０．５ｍｍのガラス基板の波長２５４ｎｍにおける初期透過率であり、Ｔ1は、前記のガラス基板に波長２５４ｎｍの紫外線を５ｍＷ／ｃｍ２の強度で１００時間照射した後の、波長２５４ｎｍにおける透過率である。) 【００１８】
また、本発明の紫外線透過ガラスは、板厚０．５ｍｍにおける分光透過率において、波長３６５ｎｍの透過率が８０％以上であることが好ましい。【００１９】
また、本発明の紫外線透過ガラスは、０〜３００℃の温度範囲の平均熱膨張係数が３０×１０−７〜９０×１０−７／℃であることが好ましい。
【発明の効果】
【００２０】
本発明によれば、紫外線、特に深紫外光の透過率の高いガラスを得ることができる。
【図面の簡単な説明】
【００２１】
【図１】例５のガラスおよび例２のガラスにおいて、波長２５０ｍ〜１２００ｎｍの光のガラス表面の反射率（実測値）を示すグラフである。
【発明を実施するための形態】
【００２２】
以下、本発明を実施するための形態について説明する。
【００２３】
本発明の紫外線透過ガラスは、酸化物基準のモル百分率表示で、ＳｉＯ２を５５〜８０％、Ｂ２Ｏ３を１２〜２７％、Ｒ２Ｏ（Ｒは、Ｌｉ、Ｎａ、およびＫからなる群より選択される少なくとも１種のアルカリ金属を示す。）を合計で４〜２０％、Ａｌ２Ｏ３を０〜３．５％、Ｒ´Ｏ（Ｒ´は、Ｍｇ、Ｃａ、Ｓｒ、およびＢａからなる群より選択される少なくとも１種のアルカリ土類金属を示す。）を合計で０〜５％、ＺｎＯを０〜５％、ＺｒＯ２を０〜１０％含有する。
【００２４】
また、本発明の紫外線透過ガラスは、酸化物基準のモル百分率表示で、ＳｉＯ２を５５〜８０％、Ｂ２Ｏ３を１２〜２７％、Ｒ２Ｏを合計で４〜２０％、Ａｌ２Ｏ３を０〜３．５％、Ｒ´Ｏを合計で０〜５％、ＺｎＯを０〜５％、Ｔａ２Ｏ５を０〜５％含有する。
以下、本発明の紫外線透過ガラスを構成する各成分について説明する。なお、以下の各成分の説明において、「％」は、特に断りのない限り「モル％」を示す。
【００２５】
ＳｉＯ２は、ガラスの骨格を構成する成分であり必須である。５５％未満ではガラスとしての安定性が低下する、または耐候性が低下する。ＳｉＯ２の含有量は、好ましくは５５．５％以上であり、より好ましくは５６％以上である。ＳｉＯ２の含有量が８０％超では、ガラスの粘性が増大し、溶融性が著しく低下する。ＳｉＯ２の含有量は、好ましくは７７％以下、典型的には７５％以下である。
【００２６】
Ａｌ２Ｏ３は、ガラスの耐候性を向上させる成分である。Ａｌ２Ｏ３を含有する場合、３．５％超では、ガラスの粘性が高くなり、均質な溶融が困難になる。Ａｌ２Ｏ３の含有量は、好ましくは３．３％以下、典型的には３％以下である。最も好ましくはＡｌ２Ｏ３を含有しない。
【００２７】
本発明においては、Ａｌ２Ｏ３を実質的に含有しないことが良い理由を以下に述べる。
ガラスにおける深紫外光の透過率は、ガラスの非架橋酸素量に依存し、非架橋酸素量が多いと深紫外光の透過率が低くなると考えられる。そして、Ａｌ２Ｏ３は、ガラスの非架橋酸素量を減らす成分であり、Ａｌ２Ｏ３を含有することで深紫外光の透過率の高いガラスが得られると従来は考えられていた。しかしながら、本発明者らは、Ａｌ２Ｏ３やその他のガラス組成条件を変えて試験をしたところ、従来の技術常識に反して、Ａｌ２Ｏ３の含有量を極力少なくする、好ましくは含有しないことで、深紫外光の透過率が高いガラスが得られるという、新たな知見を見出した。そのメカニズムは詳細にはわかっていないが、下記の理由が考えられる。
【００２８】
Ａｌ２Ｏ３は、ガラス中のアルカリ金属成分を伴ってガラスの網目構造を形成することで、結果的に非架橋酸素を減らすと言われている。しかしながら、ガラスはアモルファス状態であるため、ガラス構造のゆらぎが生じると考えられる。すなわち、Ａｌ２Ｏ３を増加させることで平均的に非架橋酸素量は減少する傾向にあるが、一方でアモルファス状態特有の構造のゆらぎにより、網目構造を形成しないＡｌ成分が修飾酸化物（構造欠陥）として存在する割合が増加する可能性も、否定できない。このような網目構造を形成しないＡｌ成分に起因する構造欠陥が、紫外域の光の吸収帯を形成し、紫外線透過能が低下すると考えられる。
なお、本発明において、特定の成分を実質的に含有しないとは、意図して添加しないという意味であり、原料等から不可避的に混入し、所期の特性に影響を与えない程度の含有を排除するものではない。
【００２９】
Ｂ２Ｏ３は、深紫外光の透過率を向上させる成分であり、必須である。１２％未満では深紫外光の透過率向上について有意な効果が得られないおそれがある。Ｂ２Ｏ３の含有量は、好ましくは１３％以上であり、典型的には１４％以上である。Ｂ２Ｏ３の含有量が２７％超では、揮散による脈理が発生し、歩留まりが低下するおそれがある。Ｂ２Ｏ３の含有量は、好ましくは２６％以下、典型的には２５％以下である。
【００３０】
Ｒ２Ｏ（Ｒは、Ｌｉ、Ｎａ、およびＫからなる群より選択される少なくとも１種のアルカリ金属を示す。）は、ガラスの溶融性を向上させる成分であり、必須である。ΣＲ２Ｏ（ΣＲ２Ｏは、Ｌｉ２Ｏ、Ｎａ２ＯおよびＫ２Ｏの含有量の合計をいう。）が４％未満では、溶融性が悪い。ΣＲ２Ｏは好ましくは４．５％以上、典型的には５％以上である。ΣＲ２Ｏが２０％超では、耐候性が低下する。ΣＲ２Ｏは好ましくは１８％以下、典型的には１６％以下である。
【００３１】
Ｒ´Ｏ（Ｒ´は、Ｍｇ、Ｃａ、Ｓｒ、およびＢａからなる群より選択される少なくとも１種のアルカリ土類金属を示す。）は、溶融性を向上させる成分であり、必須ではないが必要に応じて含有することができる。Ｒ´Ｏを含有する場合、ΣＲ´Ｏ（ΣＲ´Ｏは、ＭｇＯ、ＣａＯ、ＳｒＯおよびＢａＯの含有量の合計量をいう。）が５％超では、耐候性が低下する。ΣＲ´Ｏの含有量は、好ましくは４％以下、典型的には３％以下である。Ｒ´Ｏは、原料中に深紫外光の透過率低下の原因となるＦｅ２Ｏ３やＴｉＯ２を比較的多く含有することから、実質的に含有しないことが好ましい。
【００３２】
ＺｎＯは、ガラスの耐候性を向上させ、紫外線照射試験における劣化度を低減させる成分であり、必要に応じて含有することができる。ＺｎＯを含有する場合、その含有量が５％超では、ガラスの失透特性が悪化する。ＺｎＯの含有量は、好ましくは４．５％以下、典型的には４％以下である。
【００３３】
ＺｒＯ２は、ガラスの耐候性を向上させ、紫外線照射試験における劣化度を低減させる成分であり、必須ではないが、必要に応じて含有することができる。ＺｒＯ２を含有する場合、ＺｒＯ２の含有量が１０％超では、ガラスの溶融性が悪化するおそれがある。ＺｒＯ２の含有量は、好ましくは９％以下、典型的には８％以下である。
【００３４】
Ｔａ２Ｏ５は、ガラスの耐候性を向上させ、紫外線照射試験における劣化度を低減させる、すなわちガラスの紫外線による着色を抑制する成分であり、必須ではないが、必要に応じて含有することができる。Ｔａ２Ｏ５を含有する場合、その含有量が５％超では、溶融性が悪化するおそれがある。また、０．０１％未満ではガラスの紫外線による着色を抑制する効果が十分に得られない。Ｔａ２Ｏ５の含有量は、好ましくは０．０１％以上であり、より好ましくは０．０３％以上であり、特に好ましくは０．０５％以上である。また、Ｔａ２Ｏ５を含有する場合、その含有量は、好ましくは３％以下であり、より好ましくは２％以下である。
【００３５】
ＺｒＯ２やＴａ２Ｏ５のように、紫外線照射試験における劣化度を低減させる成分、すなわちガラスの紫外線による着色を抑制する成分として、ＳｎＯ２、Ｓｂ２Ｏ５、Ａｇ２Ｏ、Ｎｂ２Ｏ５を、紫外線による着色抑制効果が得られる範囲で、また所望の紫外光透過率が得られる範囲で含有することもできる。これらを含有する場合、いずれか１種でもよく、複数含有してもよい。
【００３６】
Ｆｅ２Ｏ３は、ガラス中に存在することで、深紫外光を吸収して透過率を低下させる成分である。しかしながら、ガラス原料や製造プロセスからの混入を完全に回避することは非常に難しい。よって、０．００００５〜０．０１％の範囲で含有してもよい。Ｆｅ２Ｏ３の含有量が０．００００５％未満であると、精製された高コストのガラス原料を用いるなど、ガラス製造のためのコストが高くなるため、好ましくない。Ｆｅ２Ｏ３の含有量は、典型的には０．０００１％以上である。Ｆｅ２Ｏ３の含有量が０．０１％超であると、深紫外光の透過率が低くなりすぎて好ましくない。Ｆｅ２Ｏ３の含有量は、好ましくは０．００６５％以下、典型的には０．００５％以下である。
【００３７】
ＴｉＯ２は、Ｆｅ２Ｏ３と同様に、ガラス中に存在することで、深紫外光を吸収して透過率を低下させる成分である。しかしながら、ガラス原料や製造プロセスからの混入を完全に回避することは非常に難しい。よって、０．０００１〜０．０２％の範囲で含有してもよい。ＴｉＯ２の含有量が０．０００１％未満であると、精製された高コストのガラス原料を用いるなど、ガラス製造のためのコストが高くなるため好ましくない。ＴｉＯ２の含有量は、典型的には０．０００３％以上である。ＴｉＯ２の含有量が０．０２％超であると、深紫外光の透過率が低くなりすぎて好ましくない。ＴｉＯ２の含有量は、好ましくは０．０１５％以下、典型的には０．０１％以下である。
【００３８】
Ｃｒ２Ｏ３、ＮｉＯ、ＣｕＯ、ＣｅＯ２、Ｖ２Ｏ５、ＷＯ３、ＭｏＯ３、ＭｎＯ２およびＣｏＯは、いずれもガラス中に存在することで、深紫外光を吸収して透過率を低下させる成分である。よって、これらの成分は、実質的にガラス中に含有しないことが好ましい。
【００３９】
Ｃｌは、後述する紫外線照射試験の波長３６５ｎｍにおける劣化度を、特に増大させるおそれがあるため、実質的にガラス中に含有しないことが好ましい。
【００４０】
本発明のガラスは、その他に、清澄を目的として、フッ素成分やＳＯ３を含有してもよい。
【００４１】
本発明の紫外線透過ガラスは、板厚０．５ｍｍの分光透過率において、波長２５４ｎｍの透過率が７０％以上のものである。深紫外光を活用する装置にこのような光学特性を備える紫外線透過ガラスを用いることで、装置を効率良く運用することができる。板厚０．５ｍｍにおける分光透過率において、波長２５４ｎｍの透過率が７０％未満であると、装置を効率良く運用することができず、好ましくない。波長２５４ｎｍの透過率は、好ましくは７２％以上であり、より好ましくは７５％以上であり、特に好ましくは８０％以上である。
【００４２】
本発明の紫外線透過ガラスは、板厚０．５ｍｍの分光透過率において、波長３６５ｎｍの透過率が８０％以上であってもよい。このような光学特性を備える紫外線透過ガラスを、波長３６５ｎｍの紫外光を活用する装置に用いることで、装置を効率良く運用することができる。板厚０．５ｍｍの分光透過率において、波長３６５ｎｍの透過率が８０％未満であると、装置を効率良く運用することができず、好ましくない。波長３６５ｎｍの透過率は、好ましくは８２％以上であり、より好ましくは８５％以上であり、特に好ましくは９０％以上である。
【００４３】
本発明の紫外線透過ガラスは、波長２５０〜１２００ｎｍの光の平均反射率において、表面の平均反射率が内部の平均反射率と比べて３％以上低いことが好ましい。ガラス組成において、Ａｌ２Ｏ３含有量が少ないと、ガラスを研磨加工や洗浄することでガラス表面が改質され、ガラス内部の屈折率と比較してガラス表面の屈折率が低くなる傾向がある。これにより、ガラス内部（ガラスが改質されていない箇所）の反射率と比較し、ガラス表面の反射率が低くなり、結果として、波長２５０〜１２００ｎｍの光の透過率が向上する。ガラス表面の平均反射率とガラス内部の平均反射率との差が３％未満であると、前述の効果が期待できない。
【００４４】
本発明の紫外線透過ガラスは、ガラス内部に比べてガラス表面のＳｉＯ２含有量が高く、ガラス内部に比べてガラス表面のＢ２Ｏ３含有量が低いことが好ましい。ＳｉＯ２の屈折率は、他のガラス成分と比較して低い。そのため、ガラス内部に比べてガラス表面のＳｉＯ２含有量を高くすることで、ガラス内部の屈折率と比較して、ガラス表面の屈折率を低くすることができる。また、Ｂ２Ｏ３は、ガラス中でリング構造を形成し、クラスターとして存在するものがあるため、ガラス表面から脱離し易く、ガラス表面のＳｉＯ２含有量を高くすることに寄与する。このようなガラスにより、波長２５０〜１２００ｎｍの光の平均反射率において、ガラス表面の平均反射率がガラス内部の平均反射率と比べて３％以上低い紫外線透過ガラスを得ることができる。なお、ガラス内部とは、光が透過する方向のガラスの中心部をいう。
【００４５】
本発明の紫外線透過ガラスは、紫外線ソラリゼーション（紫外線の暴露に起因するガラスの着色）が抑制されたものであることが好ましい。具体的には、以下の紫外線照射試験において、波長２５４ｎｍの透過率の劣化度が１０％以下であることが好ましい。
紫外線照射試験においては、ガラスサンプルを一辺３０ｍｍ角の板状にカットし、厚さが０．５ｍｍとなるよう両面光学研磨加工した試料を、理化学用高圧水銀ランプを用いて、波長２５４nmにおける紫外線照射強度が約５ｍＷ／ｃｍ２の条件で１００時間紫外線を照射する。そして、波長２５４ｎｍにおける透過率（Ｔ1）を測定し、紫外線照射前の波長２５４ｎｍにおける初期透過率（Ｔ0）からの低下率として、以下の式で劣化度が求められる。
劣化度(％)＝［（Ｔ0−Ｔ1）／Ｔ0］×１００
【００４６】
また、本発明の紫外線透過ガラスは、前述の紫外線照射試験と同様の条件で紫外線照射をした場合の、波長３６５ｎｍの透過率の劣化度が、１０％以下であることが好ましい。なお、波長３６５ｎｍの透過率の劣化度は、以下の式で求められる値である。
劣化度(％)＝［（Ｔ2−Ｔ3）／Ｔ2］×１００
ここで、Ｔ3は、理化学用高圧水銀ランプを用いて、波長２５４ｎｍにおける紫外線照射強度が約５ｍＷ／ｃｍ２の条件で１００時間紫外線を照射した後の、波長３６５ｎｍにおける透過率であり、Ｔ2は、前記紫外線照射前の波長３６５ｎｍにおける初期透過率である。
【００４７】
本発明の紫外線透過ガラスは、０〜３００℃の温度範囲の平均熱膨張係数が３０×１０−７〜９０×１０−７／℃であることが好ましい。紫外線透過ガラスを、例えば紫外線光源装置に用いる場合、光源を気密封止するため、パッケージ材に紫外線透過ガラスを貼り付ける。紫外線光源は発光に伴い温度が上昇するため、紫外線透過ガラスとパッケージ材との熱膨張係数の差が大きいと、剥離や破損が生じ、気密状態を維持できないおそれがある。パッケージ材は、耐熱性を考慮して、ガラス、結晶化ガラス、セラミックス、アルミナ等の材質からなるものが用いられており、これらのパッケージ材と紫外線透過ガラスとの熱膨張係数の差を小さくするため、紫外線透過ガラスは、０〜３００℃の温度範囲の平均熱膨張係数が３０×１０−７〜９０×１０−７／℃であることが好ましい。紫外線透過ガラスの平均熱膨張係数が前述の範囲外である場合、パッケージ材との熱膨張係数の差が大きくなり、紫外線光源装置の使用に際して前述の懸念がある。
【００４８】
また、紫外線透過ガラスと、当該紫外線透過ガラスと接合する部材との、０〜３００℃の温度範囲の平均熱膨張係数の差は、２０×１０−７／℃以下であることが好ましく、１０×１０−７／℃以下であることがより好ましく、５×１０−７／℃以下であることが最も好ましい。
なお、本発明において、熱膨張係数は示差膨張計を用いて測定した。昇温速度１０℃／分で加熱し、０〜３００℃での平均線膨張係数を算出した。
【００４９】
本発明の紫外線透過ガラスは、蛍光性（蛍光発光性）を実質的に有しないことが好ましい。なお、蛍光性を実質的に有しないガラスとは、以下で説明する蛍光強度（任意単位）が３．５×１０２を超えないガラスであることをいう。すなわち、全く蛍光が発せられないガラスが最も好ましいが、全く蛍光が発せられないガラスを製造することは、現実には不可能である。そのため、僅かに蛍光が発せられるが、その蛍光強度（波長６００ｎｍ〜８００ｎｍにおける蛍光強度の最大値（任意単位））が３．５×１０２を超えない、蛍光強度が非常に低いガラスを、蛍光性を実質的に有しないガラスという。
【００５０】
本発明において、ガラスの蛍光強度は、以下の装置を用いて測定する。幅４０ｍｍ、高さ４０ｍｍ、厚み０．５ｍｍのガラス板（試料）に対して、顕微ラマン分光計を用い、波長５３２ｎｍの励起光を照射し、試料から発生した蛍光を、励起光の反射や散乱光を除去する光学フィルタを介して分光器（日本分光社製、ＦＰ−８５００）により受光することで、微弱な蛍光を測定評価することができる。そして、得られた蛍光データを評価することで蛍光強度を得る。ここで、試料から発生する蛍光は、波長５３２ｎｍの励起光がガラス表面から侵入する深さ約２０μｍまでの領域において発生するものである。なお、分光器は、試料を透過した励起光を直接受光しないように、励起光と直交する方向に配置される。
【００５１】
本発明の紫外線透過ガラスは、前記した蛍光強度（波長６００ｎｍ〜８００ｎｍにおける蛍光強度の最大値、任意単位）が３．５×１０２以下であることが好ましい。このようなガラスとすることで、例えば、細胞観察での可視光を励起光とした蛍光測定において、ガラスからの発光が少なく、バックグランド光等のノイズが抑制される。そのため、細胞の蛍光発光が微弱な場合であっても、バンドパスフィルタ等を用いることなく、観察が可能となる。紫外線透過ガラスの蛍光強度は、３×１０２以下であることがより好ましく、２×１０２以下であることがさらに好ましい。
【００５２】
次に、本発明の紫外光透過ガラスの製造方法について説明する。
まず、所望の組成の各成分を構成するためのガラス原料を準備する。本発明で用いるガラス原料は、酸化物、水酸化物、炭酸塩、硫酸塩、硝酸塩、フッ化物、塩化物など、いずれの形態の化合物も用いることができる。
【００５３】
次いで、これらの原料を、所望の組成を有するガラスとなるように調合し、溶融槽に投入する。溶融槽は、白金族金属、白金族金属の合金、耐火物から選択される材料の容器である。本発明において、白金族金属とその合金の容器とは、白金（Ｐｔ）、イリジウム（Ｉｒ）、パラジウム（Ｐｄ）、ロジウム（Ｒｈ）、およびそれらの合金からなる群から選択される金属または合金からなる容器であり、高温溶融に耐用できるものである。
【００５４】
前記溶融槽で溶解されたガラスを、下流側に配置された脱泡槽や撹拌槽で泡と脈理の除去を行うことで、ガラス欠点の少ない、均質化された高品質のガラスを得ることができる。上述のガラスは、ノズル等を介して流出させ、金型に鋳込成型を行ったり、ロールアウトし、板状に引き出して所定の形状に成形する。徐冷したガラスに、スライス、研磨加工等を施し、所定の形状のガラスが得られる。
【００５５】
本発明の紫外線透過ガラスは、紫外線光源を用いる装置（例えば、ＵＶ−ＬＥＤ、ＵＶレーザー等）、ＵＶ剥離を前提とした半導体ウエハ製造用のサポート基板、および発光管等に好適に用いることができる。前記装置としては、例えば、紫外線硬化型樹脂組成物の硬化装置や紫外線センサーの光源カバーガラス、水殺菌装置などが挙げられるが、これらに限定されるものではない。また、本発明の紫外線透過ガラスは、板状に限らず、管状や成形体など、用途に応じて適宜の形状で用いることができる。
【００５６】
例えば、ＵＶ−ＬＥＤデバイスは、光源となるＵＶ−ＬＥＤチップが、樹脂や金属、セラミックス等の基材で構成されたパッケージの、凹部あるいは平面上に設置され、電気的に接続されている。そして、光出射側窓材として、ＵＶ透過性のある透明材料が用いられ、光出射側窓材と基材とは、気密に封止された構造になっている。ＵＶ−ＬＥＤデバイスは、ＵＶ発光とともに発熱も同時に起こしており、基材と透明材料との熱膨張係数に大きな差異がある場合、基材と透明材料との接合部分で割れやクラックが発生してしまい、製品信頼性を著しく低下させてしまう。
しかし、透明材料として、本発明の熱膨張係数が制御された紫外線高透過ガラスを用いることで、基材との熱膨張係数の差異を改善することができ、かつ良好な耐候性も有していることから、長期間使用しても可視域の透過率を低下させることがなく、製品の割れやクラック発生も少ないＵＶ−ＬＥＤデバイスを提供することができる。
【００５７】
例えば、ＵＶセンサーは、ＵＶ波長に感度のある光センサーチップが、樹脂や金属、セラミックス等の基材で構成されたパッケージの、凹部あるいは平面上に設置され、電気的に接続されている。そして、光入射側窓材として、ＵＶ透過性のある透明材料が用いられ、光入射側窓材と基材とは、気密に封止された構造になっている。ここで、基材と透明材料との熱膨張係数に大きな差異があると、各部材に割れやクラック発生を引き起こしてしまい、製品信頼性を著しく低下させてしまう。
しかし、透明材料として、本発明の熱膨張係数が制御された紫外線高透過ガラスを用いることで、基材との熱膨張係数の差異を改善することができ、良好な耐候性も有していることから、長期間使用しても可視域の透過率を低下させることがなく、製品の割れやクラック発生も少ないＵＶセンサーを提供することができる。
【００５８】
例えば、ＵＶレーザデバイスは、光源となるＵＶレーザが、金属やＡｌＮ等のセラミックスなどの基材で構成されたパッケージの、凹部あるいは平面上に設置され、電気的に接続されている。そして、光出射側窓材として、ＵＶ透過性のある透明材料が用いられ、光出射側窓材と基材とは、気密に封止された構造になっている。ＵＶレーザデバイスでは、ＵＶ発光と同時に発熱も起きており、基材と透明材料との熱膨張係数に大きな差異があると、基材と透明材料との接合部分で割れやクラックが発生してしまい、製品信頼性を著しく低下させてしまう。
しかし、透明材料として、本発明の熱膨張係数が制御された紫外線高透過ガラスを用いることで、基材との熱膨張係数の差異を改善することができ、良好な耐候性も有していることから、長期間使用しても可視域の透過率を低下させることがなく、製品の割れやクラック発生も少ないＵＶレーザデバイスを提供することができる。
【００５９】
例えば、水殺菌には、ＵＶ−ＬＥＤがライン状に配列された基板を、ＵＶ透過性があるガラス管の中に封入した光源が用いられる。ここで、ガラス管として本発明のガラスを管成形したものを用いることで、深紫外光の透過率が高く、殺菌性の高い管状ＵＶ−ＬＥＤ光源を提供することができる。
なお、水殺菌に使用される光源は、水中に浸漬された状態または水に触れる状態で使用されるため、光源から発せられる熱によって加熱される管の内表面と、水に接する管の外表面との温度差が大きくなることがある。そのため、ヒートショックによるガラス管の破損を防止する観点から、管を構成するガラスは熱膨張係数が低いことが望ましく、本発明のガラスはこの点でも好適である。
本発明のガラスをこの用途に用いる場合、０〜３００℃の温度範囲の平均熱膨張係数が７０×１０−７／℃以下であることが好ましく、６０×１０−７／℃以下であることがより好ましく、５０×１０−７／℃以下であることがさらに好ましい。
【００６０】
また、水殺菌には、ＵＶ−ＬＥＤがライン状に配列されたＵＶ−ＬＥＤアレイを、複数のガラス板の間に取り付けた光源が用いられる。ここで、ガラス板として本発明のガラスを板成形したものを用いることで、深紫外光の透過率が高く、殺菌性の高い板状ＵＶ−ＬＥＤアレイを提供することができる。
【００６１】
例えば、紫外光の発光管には、ガラス管中に紫外線光源を取り付けたものが用いられる。ここで、ガラス管として本発明のガラスを管成形したものを用いることで、深紫外光の透過率が高い発光管を提供することができる。
【００６２】
例えば、半導体ウエハの製造工程では、シリコン（Ｓｉ）のバックグラインド用途などにサポート基板が利用されている。サポート基板を用いてシリコン基板をより薄膜化することで、携帯電話やデジタルＡＶ機器およびＩＣカード等において、チップの小型化および薄型化の要求に貢献している。現状、半導体ウエハのバックグラインド用途などに用いられるサポート基板には、再生Ｓｉ基板が多く採用されているが、バックグラインド後の剥離方法が熱処理や物理処理に限定されるため、処理時間が長くなり、歩留まりも悪いなどの課題を抱えている。
【００６３】
本発明の熱膨張係数を制御できるＵＶ高透過ガラスをサポート基板として用いることで、前記課題を解決できる。すなわち、熱膨張係数をシリコンと合わせたガラス基板を、サポート基板として用い、紫外線硬化樹脂（紫外吸収性の構造を有する化合物）等によりシリコン基板と貼り合わせてから、バックグラインド加工をする。そして、バックグラインド後は、高強度の紫外線に暴露して、前記紫外線硬化樹脂の接着性を低下させることで、サポート基板の容易かつ迅速な剥離が可能になる。さらに、処理時間も短くなり、歩留まり向上にも貢献できる。
【００６４】
さらに、本発明の紫外線透過ガラスは、細胞培養容器や、細胞を観察、測定するための部材（生体分析用器具）に好適に用いることができる。細胞培養分野において、細胞を観察する手法として、蛍光タンパク質を所望の細胞に発現させたり、蛍光色素を導入して、その蛍光を観察する手法が用いられている。本発明の紫外線透過ガラスは、ガラス自体の発する蛍光が小さいため、容器や部材として用いる場合に発する蛍光が小さく、細胞から発せられる微弱な蛍光を高い精度で測定することができる。このような容器や部材としては、カバーガラス、スライドガラス、細胞培養用ディッシュ、ウエルプレート、マイクロプレート、細胞培養容器、分析チップ（バイオチップ、マイクロ化学チップ）、マイクロ流路デバイス等が挙げられるが、これらに限定されるものではない。
【実施例】
【００６５】
以下、実施例に基づいて本発明を説明する。例１〜例２２および例２４〜例４１は本発明の実施例であり、例２３は比較例である。各例に用いる試料は、次のようにして作成した。【００６６】
まず、表１〜表４に記載のガラス組成となるようにガラス原料を調合し、このガラス原料調合物を、白金坩堝を用いてモリブデンシリサイドを発熱体とした電気炉で、１３００〜１６５０℃の温度で５時間溶融・撹拌・清澄を行った。この溶融物を鋳鉄の金型に鋳込み成形し、徐冷を行い、８００ｇのガラス試料（ガラスブロック）を得た。また、このガラスブロックにスライス、研磨加工等を行い、所定形状（２５ｍｍ×２５ｍｍ×０．５ｍｍ）のガラス板を得た。【００６７】
得られたガラスブロックおよびガラス板について、板厚０．５ｍｍにおける波長２５４ｎｍの光の透過率、板厚０．５ｍｍにおける波長３６５ｎｍの光の透過率、紫外線照射試験における波長２５４ｎｍ、波長３６５ｎｍの透過率の劣化度、０〜３００℃の温度範囲の平均熱膨張係数の各測定を行った。これらの結果を、表１〜表４の下欄に示す。なお、測定結果が「−」となっているものは、未測定であることを示す。【００６８】
【表１】
2016194780.tif 000003
【００６９】
【表２】
2016194780.tif 000004
【００７０】
【表３】
2016194780.tif 000005
【００７１】
【表４】
2016194780.tif 000006
【００７２】
ガラスの透過率は、紫外可視近赤外分光光度計（日本分光社製、型番：Ｖ−５７０）により測定した。【００７３】
紫外線照射試験における透過率の劣化度は、厚さが０．５ｍｍとなるように両面光学研磨加工した所定形状（２５ｍｍ×２５ｍｍ×０．５ｍｍ）のガラスについて、紫外可視近赤外分光光度計（日本分光社製、型番：Ｖ−５７０）により、波長２５４ｎｍおよび波長３６５ｎｍの光の透過率を測定した。次に、理化学用高圧水銀ランプ（東芝社製、型番：Ｈ−４００Ｐ）を用いて、波長２５４ｎｍにおける紫外線照射強度が約５ｍＷ／ｃｍ２の条件で１００時間紫外線を照射した後、再度前記ガラスの透過率を測定した。そして、紫外線照射前後の波長２５４ｎｍおよび波長３６５ｎｍにおける透過率の変化を比較した。
なお、それぞれの波長における劣化度（％）（＝［（紫外線照射前の透過率−紫外線照射後の透過率）／紫外線照射前の透過率］×１００）が、１０％以上の場合を、「変化あり」、１０％未満の場合を「変化なし」とした。実施例である例１〜例２２および例２４〜例４１のガラスは、いずれも紫外線照射前後の透過率の変化が少なかった。【００７４】
熱膨張係数は、０℃と３００℃におけるガラスの伸びの差を測定し、これらの長さの変化量から０〜３００℃での平均線膨張係数を算出した。
具体的な測定方法は以下のとおりである。測定対象のガラスを円形断面のガラス棒（長さ：１００ｍｍ、外径：４〜６ｍｍ）に加工する。次いで、ガラスを石英製のホルダに保持し、０℃で３０分間保持した後、マイクロゲージで長さを測定する。次いで、３００℃の電気炉にガラスを入れ、３０分間保持した後、マイクロゲージで長さを測定する。測定したガラスの０℃と３００℃との伸びの差から熱膨張係数を算出する。なお、白金製の棒（長さ：１００ｍｍ、外径：４．５ｍｍ、熱膨張係数：９２．６×１０−７／℃）についても同様に、０℃と３００℃の伸びの差を用いた熱膨張係数の測定を行い、白金製の棒の熱膨張係数が９２．６×１０−７／℃からずれていた場合、ずれた量を用いてガラスの熱膨張係数の測定結果に対して補正を行う。【００７５】
例１〜例２２および例２４〜例４１の各ガラスは、板厚０．５ｍｍにおける波長２５４ｎｍの透過率が７０％以上で、かつ板厚０．５ｍｍにおける波長３６５ｎｍの透過率が８０％以上であり、高い紫外線透過率を有することがわかる。一方、例２３のガラスは、板厚０．５ｍｍにおける波長２５４ｎｍの透過率が７０％未満と、紫外線透過率が低かった。【００７６】
次に、実施例のガラスについて、波長２５０〜１２００ｎｍの光に対するガラス内部の平均反射率とガラス表面の平均反射率とを比較した。
具体的には、例２および例５のガラスについて、ガラス表面の組成を蛍光Ｘ線分析（ＸＲＦ装置（リガク社製、装置名：ＺＳＸ  Ｐｒｉｍｕｓ２））により分析した。次いで、ガラスを中心で割断し、板厚方向中心部（内部）の組成を湿式分析法により分析した。ガラス表面および内部における組成の分析結果を、表５に示す。また、ガラス内部の屈折率を測定し、それから計算される反射率を求めた。また、例５のガラスの各波長における実測の反射率を求めた。それらの結果を表６に示す。
なお、表６において、ｎｄはｄ線（波長５８７．６ｎｍ）の屈折率、ｎＣはＣ線（波長６５６．３ｎｍ）の屈折率、ｎＦはＦ線（波長４８６．１ｎｍ）の屈折率をそれぞれ示す。【００７７】
【表５】
2016194780.tif 000007
【００７８】
【表６】
2016194780.tif 000008
【００７９】
表６に示すように、例５のガラスでは、ガラス内部の屈折率から計算される反射率に比べて、実測値で示されるガラス表面の反射率が低い。そのため、表１に示すように、波長２５４ｎｍの透過率が８５％超と非常に高い。これは、表５に示すように、ＳｉＯ２含有量がガラス内部に比べてガラス表面が高く、Ｂ２Ｏ３含有量がガラス内部に比べてガラス表面が低いため、ガラス表面が低屈折率層となり、波長２５０ｍ〜１２００ｎｍの光の平均反射率が低くなったと考えられる。例５のガラスおよび例２のガラスの波長２５０ｍ〜１２００ｎｍの光のガラス表面の反射率（実測値）を、図１に示す。例２のガラスは、ガラス表面が低屈折率層となっていないため、例５のガラスと比較して反射率が高い。なお、例８のガラスも波長２５４ｎｍの透過率が８５％超と非常に高く、例５のガラスと同様に、ガラス表面が低屈折率層となっていると考えられる。【００８０】
次に、実施例のガラスについて、温度変化が生じた場合にも、ガラスと接合部材との接着状態が維持できるか否かを確認した。表７に示すように、実施例および比較例の各ガラスを、所定の熱膨張係数（０〜３００℃の温度範囲における平均線膨張係数）を備える接合部材とガラスフリットを用いて接着した。次いで、ガラスと接合部材とが接着された状態で５００℃の電気炉に投入し、３０分間加熱した後、電気炉から取り出し常温雰囲気にて急冷した。そして、ガラスと接合部材との接着状態を調べ、ガラスの割れの有無を確認した。ガラスに割れが発生したものは「×」、割れが発生していないものは「○」とした。【００８１】
【表７】
2016194780.tif 000009
【００８２】
表７に示すように、ガラスと接合部材との平均熱膨張係数の差異が大きいと、両者に温度変化が生じた際に、ガラスに割れが発生した。これに対して、ガラスの平均熱膨張係数が３０×１０−７〜９０×１０−７／℃の範囲内であって、かつガラスと接合部材との平均熱膨張係数の差が２０×１０−７／℃以下である場合には、両者に温度変化が生じた際に、ガラスに割れが発生しなかった。【００８３】
次に、実施例（例１５、例２９、例４１）および比較例のガラスについて、蛍光特性を測定し評価した。比較例としては、Ｓｃｈｏｔｔ社製のＤ２６３Ｍ（商品名）を用いた。【００８４】
測定は以下のように行った。すなわち、顕微ラマン分光計を用い、波長５３２ｎｍの励起光を試料に照射し、試料から発生した蛍光を、励起光の反射や散乱光を除去する光学フィルタを介して分光器により受光した。そして、蛍光強度と波長との関係を測定した。なお、分光器は、試料を透過した励起光を直接受光しないように、励起光と直交する方向に配置した。各ガラスの蛍光強度と波長の測定データより、波長６００〜８００ｎｍにおける蛍光強度の最大値を蛍光特性の指標とした。蛍光特性の評価結果を、波長６００〜８００ｎｍにおいて蛍光強度が最大値を示す波長とともに、表８に示す。【００８５】
【表８】
2016194780.tif 000010
【００８６】
表８から、実施例の紫外線透過ガラスは、比較例のガラス（Ｄ２６３Ｍ）と比べて蛍光性が低いことがわかる。したがって、本発明の紫外線透過ガラスは、蛍光測定に供する細胞培養容器や細胞を観察、測定するための部材（生体分析用器具）に、好適に用いることができる。
【産業上の利用可能性】
【００８７】
本発明によれば、紫外線、特に深紫外光の透過率の高いガラスを得ることができる。
【図１】
2016194780.tif 000011
【国際調査報告】
2016194780.tif 000012
2016194780.tif 000013
2016194780.tif 000014
2016194780.tif 000015